【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
取付用ネジを用いてマニホールドベースに複数個並列に取り付けるための電磁弁であって、
該電磁弁は、長手方向、短手方向、及び高さ方向を有する弁ボディと、該弁ボディを長手方向に貫通するスプール摺動孔と、該スプール摺動孔に摺動自在に挿入されたスプールとを備え、
上記弁ボディは、該弁ボディの長手方向に延びて互いに平行を成す第１側面及び第２側面を有し、
上記第１側面には、上記弁ボディの高さ方向に延びる第１突条と、該第１突条に平行に延びる第１凹溝とが設けられ、
上記第２側面には、上記第１凹溝に対応する位置に設けられて上記弁ボディの高さ方向に延びる第２突条と、上記第１突条に対応する位置に設けられて上記第２突条に平行に延びる第２凹溝とが設けられ、
上記第１凹溝は、上記第１側面側で隣接する他の電磁弁の第２突条を収容できるように形成され、
上記第２凹溝は、上記第２側面側で隣接する他の電磁弁の第１突条を収容できるように形成され、
上記弁ボディは、上記第１突条に沿って設けられて上記取付用ネジを挿通可能な第１挿通孔と、上記第２突条に沿って設けられて上記取付用ネジを挿通可能な第２挿通孔とを有し、
該第１挿通孔の一部が上記第１突条を貫通すると共に、上記第２挿通孔の一部が上記第２突条を貫通し、
上記第１及び第２挿通孔並びに上記第１及び第２凹溝は、上記第１側面及び第２側面と直角を成して上記スプール摺動孔の軸を含んだ平面上において、上記スプール摺動孔の軸から上記第１及び第２挿通孔の孔壁面までの最短距離と、上記スプール摺動孔の軸から上記第１及び第２凹溝の底壁面までの距離とが等しくなるように形成されている
ことを特徴とする電磁弁。
【請求項２】
取付用ネジを用いてマニホールドベースに複数個並列に取り付けるための電磁弁であって、
該電磁弁は、長手方向、短手方向、及び高さ方向を有する弁ボディと、該弁ボディを長手方向に貫通するスプール摺動孔と、該スプール摺動孔に摺動自在に挿入されたスプールとを備え、
上記弁ボディは、該弁ボディの長手方向に延びて互いに平行を成す第１側面及び第２側面を有し、
上記第１側面には、上記弁ボディの高さ方向に延びる第１突条と、該第１突条に平行に延びる第１凹溝とが設けられ、
上記第２側面には、上記第１凹溝に対応する位置に設けられて上記弁ボディの高さ方向に延びる第２突条と、上記第１突条に対応する位置に設けられ上記第２突条に平行に延びる第２凹溝とが設けられ、
上記第１凹溝は、上記第１側面側で隣接する他の電磁弁の第２突条を収容できるように形成され、
上記第２凹溝は、上記第２側面側で隣接する他の電磁弁の第１突条を収容できるように形成され、
上記弁ボディは、上記第１突条に沿って設けられ上記取付用ネジを挿通可能な第１挿通孔と、上記第２突条に沿って設けられ上記取付用ネジを挿通可能な第２挿通孔とを有し、
該第１挿通孔の一部が上記第１突条を貫通すると共に、上記第２挿通孔の一部が上記第２突条を貫通し、
上記第１及び第２側面から上記第１及び第２突条の頂面までの距離を共にｈ１、上記第１及び第２側面からの上記第１及び第２凹溝の深さを共にｈ２、上記第１及び第２挿通孔の孔壁面と上記第１及び第２突条の頂面との間の最小壁厚を共にｃ、上記第１及び第２挿通孔の直径をｄとしたとき、これらの寸法関係が、
ｃ＋ｄ−ｈ１＝ｈ２
となり、かつ
ｈ１＞ｈ２
となることを特徴とする電磁弁。
【請求項３】
上記スプール摺動孔の軸と直交する方向の断面形状は、上記弁ボディの高さ方向を向く長軸と短手方向を向く短軸とを有する細長形状であることを特徴とする請求項１又は２に記載の電磁弁。
【請求項４】
上記断面形状は、上記長軸方向に直線的に延び且つ互いに平行をなす左右の孔側壁と、該左右の孔側壁の一端同士を結ぶ上下の孔端壁とを有する形状、又は楕円形状であることを特徴とする請求項３に記載の電磁弁。
【請求項５】
長手方向、短手方向、及び高さ方向を有する弁ボディと、該弁ボディを長手方向に貫通するスプール摺動孔と、該スプール摺動孔に摺動自在に挿入されたスプールとを有する電磁弁と、
上記電磁弁を取付用ネジを用いて複数個並列に取り付けるための複数の弁取付面を有するマニホールドベースとを備える、
マニホールド形電磁弁集合体であって、
上記弁ボディには、上記取付用ネジを挿通可能な第１挿通孔と第２挿通孔とが、対を成してそれぞれ上記弁ボディの高さ方向に設けられ、
上記弁取付面には、上記第１挿通孔に対応し上記取付用ネジを螺合させることで上記電磁弁の取付を可能とする第１取付孔と、上記第２挿通孔に対応し上記取付用ネジを螺合させることで上記電磁弁の取付を可能とする第２取付孔とが、対を成してそれぞれ複数個設けられ、
上記弁ボディは、該弁ボディの長手方向に延びて互いに平行を成す第１側面及び第２側面を有し、
上記第１側面には、上記第１挿通孔に沿って延びる第１突条と、該第１突条に対して平行に延びる第１凹溝とが設けられ、
上記第２側面には、上記第１凹溝に対応する位置に設けられ上記第２挿通孔に沿って延びる第２突条と、上記第１突条に対応する位置に設けられ該第２突条に対して平行に延びる第２凹溝とが設けられ、
上記第１凹溝は、上記第１側面側で隣接する他の電磁弁の第２突条を収容するように形成され、
上記第２凹溝は、上記第２側面側で隣接する他の電磁弁の第１突条を収容するように形成され、
該第１挿通孔の一部が上記第１突条を貫通すると共に、上記第２挿通孔の一部が上記第２突条を貫通し、
上記第１及び第２挿通孔並びに上記第１及び第２凹溝は、上記第１側面及び第２側面と直角を成して上記スプール摺動孔の軸を含んだ平面上において、上記スプール摺動孔の軸から上記第１及び第２挿通孔の孔壁面までの最短距離と、上記スプール摺動孔の軸から上記第１及び第２凹溝の底壁面までの距離とが等しくなるように設けられている
ことを特徴とするマニホールド形電磁弁集合体。
【請求項６】
長手方向、短手方向、及び高さ方向を有する弁ボディと、該弁ボディを長手方向に貫通するスプール摺動孔と、該スプール摺動孔に摺動自在に挿入されたスプールとを有する電磁弁と、
上記電磁弁を取付用ネジを用いて複数個並列に取り付けるための複数の弁取付面を有するマニホールドベースとを備える、
マニホールド形電磁弁集合体であって、
上記弁ボディには、上記取付用ネジを挿通可能な第１挿通孔と第２挿通孔とが、対を成してそれぞれ上記弁ボディの高さ方向に設けられ、
上記弁取付面には、上記第１挿通孔に対応し上記取付用ネジを螺合させることで上記電磁弁の取付を可能とする第１取付孔と、上記第２挿通孔に対応し上記取付用ネジを螺合させることで上記電磁弁の取付を可能とする第２取付孔とが、対を成してそれぞれ複数個設けられ、
上記弁ボディは、該弁ボディの長手方向に延びて互いに平行を成す第１側面及び第２側面を有し、
上記第１側面には、上記第１挿通孔に沿って延びる第１突条と、該第１突条に対して平行に延びる第１凹溝とが設けられ、
上記第２側面には、上記第１凹溝に対応する位置に設けられ上記第２挿通孔に沿って延びる第２突条と、上記第１突条に対応する位置に設けられ該第２突条に対して平行に延びる第２凹溝とが設けられ、
上記第１凹溝は、上記第１側面側で隣接する他の電磁弁の第２突条を収容するように形成され、
上記第２凹溝は、上記第２側面側で隣接する他の電磁弁の第１突条を収容するように形成され、
該第１挿通孔の一部が上記第１突条を貫通すると共に、上記第２挿通孔の一部が上記第２突条を貫通し、
上記第１及び第２側面から上記第１及び第２突条の頂面までの距離を共にｈ１、上記第１及び第２側面からの上記第１及び第２凹溝の深さを共にｈ２、上記第１及び第２挿通孔の孔壁面と上記第１及び第２突条の頂面との間の最小壁厚を共にｃ、上記第１及び第２挿通孔の直径をｄとしたとき、これらの寸法関係が、
ｃ＋ｄ−ｈ１＝ｈ２
となり、かつ
ｈ１＞ｈ２
となることを特徴とするマニホールド形電磁弁集合体。
【請求項７】
上記スプール摺動孔の軸と直交する方向の断面形状は、上記弁ボディの高さ方向を向く長軸と短手方向を向く短軸とを有する細長形状であることを特徴とする請求項５又は６に記載のマニホールド形電磁弁集合体。
【請求項８】
上記断面形状は、上記長軸方向に直線的に延び且つ互いに平行をなす左右の孔側壁と、該左右の孔側壁の一端同士を結ぶ上下の孔端壁とを有する形状、又は楕円形状であることを特徴とする請求項７に記載のマニホールド形電磁弁集合体。
【手続補正２】
【補正対象書類名】明細書
【補正対象項目名】０００６
【補正方法】変更
【補正の内容】
【０００６】
上記課題を解決するため、本発明に係る電磁弁は、取付用ネジを用いてマニホールドベースに複数個並列に取り付けるための電磁弁であって、該電磁弁は、長手方向、短手方向、及び高さ方向を有する弁ボディと、該弁ボディを長手方向に貫通するスプール摺動孔と、該スプール摺動孔に摺動自在に挿入されたスプールとを備え、上記弁ボディは、該弁ボディの長手方向に延びて互いに平行を成す第１側面及び第２側面を有し、上記第１側面には、上記弁ボディの高さ方向に延びる第１突条と、該第１突条に平行に延びる第１凹溝とが設けられ、上記第２側面には、上記第１凹溝に対応する位置に設けられて上記弁ボディの高さ方向に延びる第２突条と、上記第１突条に対応する位置に設けられて上記第２突条に平行に延びる第２凹溝とが設けられ、上記第１凹溝は、上記第１側面側で隣接する他の電磁弁の第２突条を収容できるように形成され、上記第２凹溝は、上記第２側面側で隣接する他の電磁弁の第１突条を収容できるように形成され、上記弁ボディは、上記第１突条に沿って設けられて上記取付用ネジを挿通可能な第１挿通孔と、上記第２突条に沿って設けられて上記取付用ネジを挿通可能な第２挿通孔とを有し、該第１挿通孔の一部が上記第１突条を貫通すると共に、上記第２挿通孔の一部が上記第２突条を貫通し、上記第１及び第２挿通孔並びに上記第１及び第２凹溝は、上記第１側面及び第２側面と直角を成して上記スプール摺動孔の軸を含んだ平面上において、上記スプール摺動孔の軸から上記第１及び第２挿通孔の孔壁面までの最短距離と、上記スプール摺動孔の軸から上記第１及び第２凹溝の底壁面までの距離とが等しくなるように形成されていることを特徴とする。
【手続補正３】
【補正対象書類名】明細書
【補正対象項目名】０００７
【補正方法】変更
【補正の内容】
【０００７】
また、本発明に係る電磁弁は、取付用ネジを用いてマニホールドベースに複数個並列に取り付けるための電磁弁であって、該電磁弁は、長手方向、短手方向、及び高さ方向を有する弁ボディと、該弁ボディを長手方向に貫通するスプール摺動孔と、該スプール摺動孔に摺動自在に挿入されたスプールとを備え、上記弁ボディは、該弁ボディの長手方向に延びて互いに平行を成す第１側面及び第２側面を有し、上記第１側面には、上記弁ボディの高さ方向に延びる第１突条と、該第１突条に平行に延びる第１凹溝とが設けられ、上記第２側面には、上記第１凹溝に対応する位置に設けられて上記弁ボディの高さ方向に延びる第２突条と、上記第１突条に対応する位置に設けられ上記第２突条に平行に延びる第２凹溝とが設けられ、上記第１凹溝は、上記第１側面側で隣接する他の電磁弁の第２突条を収容できるように形成され、上記第２凹溝は、上記第２側面側で隣接する他の電磁弁の第１突条を収容できるように形成され、上記弁ボディは、上記第１突条に沿って設けられ上記取付用ネジを挿通可能な第１挿通孔と、上記第２突条に沿って設けられ上記取付用ネジを挿通可能な第２挿通孔とを有し、該第１挿通孔の一部が上記第１突条を貫通すると共に、上記第２挿通孔の一部が上記第２突条を貫通し、上記第１及び第２側面から上記第１及び第２突条の頂面までの距離を共にｈ１、上記第１及び第２側面からの上記第１及び第２凹溝の深さを共にｈ２、上記第１及び第２挿通孔の孔壁面と上記第１及び第２突条の頂面との間の最小壁厚を共にｃ、上記第１及び第２挿通孔の直径をｄとしたとき、これらの寸法関係が、ｃ＋ｄ−ｈ１＝ｈ２となり、かつｈ１＞ｈ２となることを特徴とする。
【手続補正４】
【補正対象書類名】明細書
【補正対象項目名】０００８
【補正方法】変更
【補正の内容】
【０００８】
上記スプール摺動孔の軸と直交する方向の断面形状は、上記弁ボディの高さ方向を向く長軸と短手方向を向く短軸とを有する細長形状であってもよい。
一例として、上記断面形状は、上記長軸方向に直線的に延び且つ互いに平行をなす左右の孔側壁と、該左右の孔側壁の一端同士を結ぶ上下の孔端壁とを有する形状、又は楕円形状である。
【手続補正５】
【補正対象書類名】明細書
【補正対象項目名】０００９
【補正方法】変更
【補正の内容】
【０００９】
また、本発明に係るマニホールド形電磁弁集合体は、長手方向、短手方向、及び高さ方向を有する弁ボディと、該弁ボディを長手方向に貫通するスプール摺動孔と、該スプール摺動孔に摺動自在に挿入されたスプールとを有する電磁弁と、上記電磁弁を取付用ネジを用いて複数個並列に取り付けるための複数の弁取付面を有するマニホールドベースとを備える、マニホールド形電磁弁集合体であって、上記弁ボディには、上記取付用ネジを挿通可能な第１挿通孔と第２挿通孔とが、対を成してそれぞれ上記弁ボディの高さ方向に設けられ、上記弁取付面には、上記第１挿通孔に対応し上記取付用ネジを螺合させることで上記電磁弁の取付を可能とする第１取付孔と、上記第２挿通孔に対応し上記取付用ネジを螺合させることで上記電磁弁の取付を可能とする第２取付孔とが、対を成してそれぞれ複数個設けられ、上記弁ボディは、該弁ボディの長手方向に延びて互いに平行を成す第１側面及び第２側面を有し、上記第１側面には、上記第１挿通孔に沿って延びる第１突条と、該第１突条に対して平行に延びる第１凹溝とが設けられ、上記第２側面には、上記第１凹溝に対応する位置に設けられ上記第２挿通孔に沿って延びる第２突条と、上記第１突条に対応する位置に設けられ該第２突条に対して平行に延びる第２凹溝とが設けられ、上記第１凹溝は、上記第１側面側で隣接する他の電磁弁の第２突条を収容するように形成され、上記第２凹溝は、上記第２側面側で隣接する他の電磁弁の第１突条を収容するように形成され、該第１挿通孔の一部が上記第１突条を貫通すると共に、上記第２挿通孔の一部が上記第２突条を貫通し、上記第１及び第２挿通孔並びに上記第１及び第２凹溝は、上記第１側面及び第２側面と直角を成して上記スプール摺動孔の軸を含んだ平面上において、上記スプール摺動孔の軸から上記第１及び第２挿通孔の孔壁面までの最短距離と、上記スプール摺動孔の軸から上記第１及び第２凹溝の底壁面までの距離とが等しくなるように設けられていることを特徴とする。
【手続補正６】
【補正対象書類名】明細書
【補正対象項目名】００１０
【補正方法】変更
【補正の内容】
【００１０】
また、本発明に係るマニホールド形電磁弁集合体は、長手方向、短手方向、及び高さ方向を有する弁ボディと、該弁ボディを長手方向に貫通するスプール摺動孔と、該スプール摺動孔に摺動自在に挿入されたスプールとを有する電磁弁と、上記電磁弁を取付用ネジを用いて複数個並列に取り付けるための複数の弁取付面を有するマニホールドベースとを備える、マニホールド形電磁弁集合体であって、上記弁ボディには、上記取付用ネジを挿通可能な第１挿通孔と第２挿通孔とが、対を成してそれぞれ上記弁ボディの高さ方向に設けられ、上記弁取付面には、上記第１挿通孔に対応し上記取付用ネジを螺合させることで上記電磁弁の取付を可能とする第１取付孔と、上記第２挿通孔に対応し上記取付用ネジを螺合させることで上記電磁弁の取付を可能とする第２取付孔とが、対を成してそれぞれ複数個設けられ、上記弁ボディは、該弁ボディの長手方向に延びて互いに平行を成す第１側面及び第２側面を有し、上記第１側面には、上記第１挿通孔に沿って延びる第１突条と、該第１突条に対して平行に延びる第１凹溝とが設けられ、上記第２側面には、上記第１凹溝に対応する位置に設けられ上記第２挿通孔に沿って延びる第２突条と、上記第１突条に対応する位置に設けられ該第２突条に対して平行に延びる第２凹溝とが設けられ、上記第１凹溝は、上記第１側面側で隣接する他の電磁弁の第２突条を収容するように形成され、上記第２凹溝は、上記第２側面側で隣接する他の電磁弁の第１突条を収容するように形成され、該第１挿通孔の一部が上記第１突条を貫通すると共に、上記第２挿通孔の一部が上記第２突条を貫通し、上記第１及び第２側面から上記第１及び第２突条の頂面までの距離を共にｈ１、上記第１及び第２側面からの上記第１及び第２凹溝の深さを共にｈ２、上記第１及び第２挿通孔の孔壁面と上記第１及び第２突条の頂面との間の最小壁厚を共にｃ、上記第１及び第２挿通孔の直径をｄとしたとき、これらの寸法関係が、ｃ＋ｄ−ｈ１＝ｈ２となり、かつｈ１＞ｈ２となることを特徴とする。
【手続補正７】
【補正対象書類名】明細書
【補正対象項目名】００１１
【補正方法】変更
【補正の内容】
【００１１】
上記スプール摺動孔の軸と直交する方向の断面形状は、上記弁ボディの高さ方向を向く長軸と短手方向を向く短軸とを有する細長形状であってもよい。
一例として、上記断面形状は、上記長軸方向に直線的に延び且つ互いに平行をなす左右の孔側壁と、該左右の孔側壁の一端同士を結ぶ上下の孔端壁とを有する形状、又は楕円形状である。
【手続補正８】
【補正対象書類名】明細書
【補正対象項目名】００１２
【補正方法】変更
【補正の内容】
【００１２】
本発明においては、第１側面及び第２側面と直角を成してスプール摺動孔の軸を含んだ平面上において、スプール摺動孔の軸から第１及び第２挿通孔の孔壁面までの最短距離と、スプール摺動孔の軸から第１及び第２凹溝の底壁面までの距離とが等しくなるように形成されているため、弁ボディの幅に対してスプール摺動孔の孔径を効率よく拡大することができる。
【手続補正９】
【補正対象書類名】明細書
【補正対象項目名】００１５
【補正方法】変更
【補正の内容】
【００１５】
マニホールドベース１は、矩形かそれに類似する断面形状を有する一方向に長いブロックからなるもので、その上面に複数設けられている平らな弁取付面３（図４参照）に電磁弁２が取り付けられている。このマニホールドベース１の内部には、図２に示すように、一括供給用及び一括排出用の流体流路６，７Ａ，７Ｂが、該マニホールドベース１を一端側から他端側に向けて長手方向に貫通するように設けられ、これらの流体流路６，７Ａ，７Ｂから分岐する複数の分岐通孔６ａ，７ａ，７ｂが、上記弁取付面３にそれぞれ開口している。図２では、中央の第１流体流路６が一括供給用、その両側の第２及び第３流体流路７Ａ，７Ｂが一括排出用である。そして、上記第１流体流路６がマニホールドベース１の長手方向の中央部を電磁弁２の並列方向に対して平行方向に延び、上記第２及び第３流体流路７Ａ，７Ｂがこの第１流体流路６の両側に位置し、該第１流体流路６と平行に延びている。
【手続補正１０】
【補正対象書類名】明細書
【補正対象項目名】００１６
【補正方法】変更
【補正の内容】
【００１６】
また、図４に示すように、上記弁取付面３には、電磁弁２を取り付けるための取付用ネジ４７を螺合可能な一対の第１及び第２取付孔９ａ，９ｂが、後述する第１及び第２挿通孔４５，４６に対応して形成されている。また、マニホールドベース１には、このマニホールドベース１をボルトやネジ等を用いて周辺機器に設置するための取付孔４が設けられている。
【手続補正１１】
【補正対象書類名】明細書
【補正対象項目名】００２１
【補正方法】変更
【補正の内容】
【００２１】
また、上記マニホールドベース１の短手方向の一側面１ａには、上記電磁弁２に流入されている流体を出力するための第１及び第２出力ポートＡ，Ｂが、２個を１組として上記電磁弁２の数と同じ組数だけ設けられている。また、上記第１及び第２出力ポートＡ，Ｂには出力用連通孔８ａ，８ｂがそれぞれ通じており、この出力用連通孔８ａ，８ｂが、上記弁取付面３の分岐通孔６ａと７ａとの間、及び分岐通孔６ａと７ｂとの間に一つずつ開口している。そして、この出力用連通孔８ａ，８ｂは、上記弁取付面３に上記電磁弁２を取り付けたときに、出力用の連通孔２１ａ，２１ｂとそれぞれ連通するようになっている。
【手続補正１２】
【補正対象書類名】明細書
【補正対象項目名】００２９
【補正方法】変更
【補正の内容】
【００２９】
なお、図５に示す第１及び第２挿通孔４５，４６は、第１及び第２突条４１，４２の頂面４１ａ，４２ａから離隔して形成されているが、これに限られない。例えば、図６に示すように、第１及び第２挿通孔４５，４６は、上記頂面４１ａ，４２ａに孔壁面４５ａ，４６ａの一部が開口する位置に形成されていてもよい。このとき、第１及び第２挿通孔４５，４６は、その軸方向の断面が優弧状に形成されることが望ましい。
【手続補正１３】
【補正対象書類名】明細書
【補正対象項目名】００３０
【補正方法】変更
【補正の内容】
【００３０】
また、この平面Ｐ上において、第１及び第２側面３２，３３と第１及び第２突条４１，４２の頂面４１ａ，４２ａとの距離をｈ１、第１及び第２側面３２，３３からの第１及び第２凹溝４３，４４の溝の深さをｈ２、この頂面４１ａ，４２ａと第１及び第２挿通孔４５，４６の孔壁面４５ａ，４６ａとの距離をｃ、第１及び第２挿通孔４５，４６の直径をｄとすると、これらを以下の関係で表すことができる。
ｃ＋ｄ−ｈ１＝ｈ２                                                    （２）
ここで、第１及び第２凹溝４３，４４の溝の深さｈ２は第１及び第２突条４１，４２の高さｈ１よりも所定の値αだけ短いため、ｈ２＝ｈ１−αを数式（２）に代入することで、以下の関係が成り立つ。
ｈ１＝（α＋ｃ＋ｄ）／２                                              （３）
【手続補正１４】
【補正対象書類名】明細書
【補正対象項目名】００３２
【補正方法】変更
【補正の内容】
【００３２】
次に、本発明に係るマニホールド形電磁弁集合体５０について説明する。本発明に係るマニホールド形電磁弁集合体５０は、上述した電磁弁２とマニホールドベース１とを備えるものであり、取付用ネジ４７を用いて、マニホールドベース１の弁取付面３に電磁弁２を取り付けるものである。マニホールド形電磁弁集合体５０を構成する電磁弁２とマニホールドベース１の構成は、上述した電磁弁２及びマニホールドベース１の構成と同一であるため、各構成についての説明は省略する。
【手続補正１５】
【補正対象書類名】明細書
【補正対象項目名】００３５
【補正方法】変更
【補正の内容】
【００３５】
１  マニホールドベース
２  電磁弁
３  弁取付面
１６  スプール
１８  弁ボディ
１９  スプール摺動孔
３２  第１側面
３３  第２側面
４１  第１突条
４２  第２突条
４３  第１凹溝
４４  第２凹溝
４５  第１挿通孔
４６  第２挿通孔
５０  マニホールド形電磁弁集合体
Ｌ１  （スプール摺動孔の）軸